(57)【要約】【課題】空気調和機から取り込んだ運転状態データを分析して、異常を判断したり、保守点検を行ったりする監視するためだけに設けられており、空気調和機に掛かる電気代の情報を管理者等が得ることができなかった。【解決手段】前記従来の課題を解決するために、本発明の空気調和機の遠隔制御システムは、遠隔御装置１内に設けられた電気代表示手段２により電気代を知ることができるので、空調システムの遠隔制御を行うビル管理者が、空調システム全体の電気代を管理することができる。【選択図】図１
2011117659.tif 000002
【特許請求の範囲】
【請求項１】
複数の室内機と室外機からなる空調システムを遠隔で制御する遠隔制御装置と、前記空調システムの電気代を管理し、電気代を表示することができる電気代表示手段と、室外機の電流を検出する電流検出手段と、通信信号を送受信する制御手段と、前記遠隔制御装置と室内機と室外機とを接続する通信線とを備え、前記複数の室内機の運転累積時間と、室外機の電流検出手段とから電力量を算出し、電気代表示手段で電気代を表示することを特徴とする空気調和機の遠隔制御システム。
【請求項２】
空気調和機の遠隔制御装置に、個別電気代表示手段を備えたことを特徴とする請求項１に記載の空気調和機の遠隔制御システム。
【発明の詳細な説明】
【技術分野】
【０００１】
本発明は、複数の室内機と室外機からなる空気調和機の電気代表示をする遠隔制御システムに関する。
【背景技術】
【０００２】
従来の空気調和機の遠隔制御システムは、空気調和機の運転停止、運転モード、風量、温度等の設定データと運転状態データを取り込んで空気調和機の監視を行うものであった（例えば、特許文献１参照）。
【０００３】
図３は特許文献１に記載された従来の設置状態を示すものである。図３に示すように、監視装置（パソコン）１００、データベース１１０、状態データベース１１１、設定データベース１１２、エンジン１２０、デバイスドライバ１３０、アプリケーション１４０、１４１、１４２、１４３、変換装置２００、伝送ソフト２０１、コンバータ２０２、ＰＡＣ用伝送ソフト２０３、空気調和機３００、室外機３０１、室内機３０２とから構成されている。
【先行技術文献】
【特許文献】
【０００４】
【特許文献１】特開２００２−１５６１４３号公報
【発明の概要】
【発明が解決しようとする課題】
【０００５】
しかしながら、前記従来の構成では、空気調和機から取り込んだ運転状態データを分析して、異常を判断したり、保守点検を行ったりする監視するためだけに設けられており、空気調和機に掛かる電気代の情報を管理者等が得ることができないという課題を有していた。
【０００６】
本発明は、前記従来の課題を解決するもので、複数の室内機と室外機のシステムで遠隔から制御する場合、遠隔から空気調和機を管理するビル管理者が、空気調和機の運転時間と電流により遠隔制御装置で使用電力量を算出し電気代を表示することができ、電気代を管理することができる空気調和機の遠隔制御システムを提供することを目的とする。
【課題を解決するための手段】
【０００７】
前記従来の課題を解決するために、本発明の空気調和機の遠隔制御システムは、室内制御部から送信される運転時間データと、室外機の電流検出手段から検出した電流を室外制御部から送信する電流値データとで、電力量を算出し、電気代に換算した結果を、電気代表示手段により電気代を表示することができる。
【０００８】
これによって、空気調和機の遠隔制御を行うビル管理者が、空調システムでの電気代を知ることができる。
【発明の効果】
【０００９】
本発明の空気調和機の遠隔制御システムは、複数の室内機と室外機のシステムで遠隔制御する場合、遠隔から空気調和機を管理するビル管理者が、遠隔制御装置から電気代を知ることができるので、ビル全体の空調システムの電気代を管理することができる。
【図面の簡単な説明】
【００１０】
【図１】本発明の実施の形態１における空気調和機の遠隔制御システムの構成ブロック図
【図２】本発明の実施の形態２における空気調和機の遠隔制御システムの構成ブロック図
【図３】従来の空気調和機の遠隔制御システムの構成ブロック図
【発明を実施するための形態】
【００１１】
第１の発明は、複数の室内機と室外機を遠隔で制御する遠隔制御装置と、電気代を表示することができる電気代表示手段と、複数の室内機の運転累積時間データと、室外機の電流値データを受信し、電力量に算出し、電気代に換算する前記遠隔制御装置内の制御部と、室外機の電流値を認識する電流検出手段と、前記電流検出手段で検出された電流値データを前記遠隔制御装置に送信する室外機内に設けられた制御部と、室内機の運転時間データを前記遠隔制御装置に送信する室内機内に設けられた制御部と、前記遠隔制御装置と室内機と室外機とを接続する通信線とから構成される空気調和機の遠隔制御システムとすることにより、管理者が空調システムの電気代を知ることができるので、ビル全体の空気調和機の電気代を管理することができる。
【００１２】
第２の発明は、特に第１の発明の遠隔制御システムの遠隔制御装置に、個別電気代表示手段を備えたことにより、室内機個別での電気代を表示することができる。
【００１３】
（実施の形態１）
図１は、本発明の実施の形態１における空気調和機の遠隔制御システムの構成ブロック図である。同図の空気調和機の遠隔制御装置のシステムにおいて、複数の室内機と室外機を遠隔で制御する遠隔制御装置と、電気代を表示する電気代表示手段と、複数の室内機の運転累積時間データと、室外機の電流値データを受信し、電力量に算出し、電気代に換算する前記遠隔制御装置内の制御部と、室外機の電流値を認識する電流検出手段と、前記電流検出手段で検出された電流値データを前記遠隔制御装置に送信する室外機内に設けられた制御部と、室内機の運転時間データを前記遠隔制御装置に送信する室内機内に設けられた制御部と、前記遠隔制御装置と室内機と室外機とを接続する通信線とから構成されている。
【００１４】
以上のように構成された空気調和機の遠隔制御システムついて、以下その動作、作用を説明する。
【００１５】
まず、空調システムの室内機８ａ、室内機８ｂの運転時間データが通信線４を介して制御部９によって送信され、室外機５の電流検出手段６から電流値を制御部７が認識し、通信線４を介して電流値データが送信される。また、遠隔制御装置１に設けられた制御部３が室内機８ａ、室内機８ｂの運転時間データと、室外機５の電流値データを受信すると、室内機８ａ、室内機８ｂの運転時間と、室外機５の電流値データとで電力量を算出し、電気代に換算し、電気代表示手段２に電気代を表示させる。
【００１６】
以上のように、空調システムの室内機８ａ、室内機８ｂの運転累積時間と、室外機５の電流値から制御部３が電力量を算出し、電気代に換算し、空調システムの電気代を表示させ、管理者が空気調和機の電気代を知ることができるので、空調システムの電気代を管理することができる。
【００１７】
（実施の形態２）
図２は、本発明の第２の実施の形態の空気調和機の遠隔制御システムの構成ブロック図である。本発明の第１の実施の形態で示した空気調和機の遠隔制御システムの遠隔制御装置１に、個別電気代表示手段１１を構成した空気調和機の遠隔制御システムである。
【００１８】
以上のように構成された空気調和機の遠隔制御システムについて、以下その動作、作用を説明する。
【００１９】
まず、空調システムの室内機８ａ、室内機８ｂの運転時間データが通信線４を介して制御部９によって送信され、室外機５の電流検出手段６から電流値を制御部７が認識し、通信線４を介して電流値データが送信される。また、遠隔制御装置１に設けられた制御部３が室内機８ａ、室内機８ｂの運転時間データと、室外機５の電流値データを受信すると、室内機８ａ、室内機８ｂの運転時間と、室外機５の電流値データとで電力量を算出し、電気代に換算し、電気代表示手段２に空調システム全体の電気代を表示し、個別電気代表示手段１１を入力することで、室内機８ａ、または室内機８ｂの個別の電気代を電気代表示手段２に表示させる。
【００２０】
以上のように個別電気代表示手段１１を備えたことにより、個別電気代表示手段１１の入力により、空調システム内の室内機個別の電気代を表示するので、管理者が室内機個別の電気代を把握することができ、個別で管理することができる。
【産業上の利用可能性】
【００２１】
以上のように、本発明は、複数の室内機と室外機のシステムで遠隔から制御する場合、遠隔から空気調和機を管理するビル管理者が電気代を知り管理することができるので、遠隔制御機器を用いたマルチ型エアコンのシステムに適する。
【符号の説明】
【００２２】
１  遠隔制御装置
２  電気代表示手段
３  制御部
４  通信線
５  室外機
６  電流検出手段
７  制御部
８ａ  室内機
８ｂ  室内機
９  制御部
１０  リモコン
１１  個別電気代表示手段
１００  監視装置（パソコン）
１１０  データベース
１１１  状態データベース
１１２  設定データベース
１２０  エンジン
１３０  デバイスドライバ
１４０  アプリケーション
１４１  アプリケーション
１４２  アプリケーション
１４３  アプリケーション
２００  変換装置
２０１  伝送ソフト
２０２  コンバータ
２０３  ＰＡＣ用伝送ソフト
３００  空気調和機
３０１  室外機
３０２  室内機
【図１】
2011117659.tif 000003
【図２】
2011117659.tif 000004
【図３】
2011117659.tif 000005